(57)【要約】  板要素のシート（３）を搬送する少なくとも１つの下方駆動ベルト（１１）が設けられたフィードテーブルを有する形式の板要素加工機の補助駆動装置。本発明の補助駆動装置は、加工機のフィードテーブルの上方に配置されるフレームを有している。本発明によれば、フレームは、層（３）の上表面に押圧力および駆動力を加えることにより板要素のシート（３）を搬送すべく、下方駆動ベルト（単一または複数）（１１）と協働できる少なくとも１つの上方駆動ベルト（１５）と、下方駆動ベルト（単一または複数）（１１）と同期して上方駆動ベルト（単一または複数）（１５）を駆動できる、上方駆動ベルト（単一または複数）（１５）の駆動機構とを支持している。【選択図】  図７
2009543701.tif 000002
【特許請求の範囲】
【請求項１】
シート状物品の層（３）を搬送する少なくとも１つの下方駆動ベルト（１１）が設けられたフィードテーブルを有する形式のシート状物品加工機の補助駆動装置であって、シート状物品加工機の前記フィードテーブルの上方に配置されるフレームを更に有する補助駆動装置において、フレームが、
層（３）の上表面に押圧力および駆動力を加えることによりシート状物品の層（３）を搬送すべく、下方駆動ベルト（単一または複数）（１１）と協働するように設計された少なくとも１つの上方駆動ベルト（１５）と、
下方駆動ベルト（単一または複数）（１１）と同期して上方駆動ベルト（単一または複数）（１５）を駆動するように設計された、上方駆動ベルト（単一または複数）（１５）を駆動する機構とを支持する、
ことを特徴とするシート状物品加工機の補助駆動装置。
【請求項２】
上方駆動ベルト（１５）すなわち各々の上方駆動ベルト（１５）のフォーマッティングを行う可動キャリジ（１７）を有することを特徴とする請求項１記載の補助駆動装置。
【請求項３】
上方駆動ベルトすなわち各々の上方駆動ベルト（１５）の表面に垂直な方向に移動できるトランスミッションプーリおよび押圧プーリ（２０）を有することを特徴とする請求項１または２記載の補助駆動装置。
【請求項４】
上方駆動ベルト（１５）により層（３）に加えられる押圧力を調節する手段を有することを特徴とする請求項１から３のいずれか１項記載の補助駆動装置。
【請求項５】
押圧力を調節する手段が空気圧ジャッキを備えていることを特徴とする請求項４記載の補助駆動装置。
【請求項６】
フレームをピボットさせる手段によりシャフト（２５）の回りで持上げられることを特徴とする請求項１から５のいずれか１項記載の補助駆動装置。
【請求項７】
シート状物品の層（３）を搬送する少なくとも１つの下方駆動ベルト（１１）が設けられたフィードテーブルを有する形式のシート状物品加工機において、請求項１から６のいずれか１項記載の補助駆動装置を有することを特徴とするシート状物品加工機。
【発明の詳細な説明】
【技術分野】
【０００１】
本発明は、切断プレスのフィードテーブル上で層状に配置された紙または厚紙のシートを搬送する補助駆動装置に関する。
【背景技術】
【０００２】
これまでに知られている切断プレスの一例が図１に示されており、この切断プレスでは、加工すべきシートが、層３の形態に配置されたスタック１の頂から取出され、次に、プレス切断ステーションの搬送部材５のグリッパ４内に導入される前にフィードテーブル上に搬送される。下記特許文献１には、シートを層状に配置して１枚毎に供給する装置の一例が開示され、下記特許文献２には、グリッパバーを使用するプレス切断ステーションの搬送部材の一例が開示されている。
【０００３】
図２および図３には、シートを層状に配置して、層を供給する装置がより詳細に示されている。スタック１は、吸引ユニット２により層３を供給し、スタック１の頂は、モータ７により駆動されるスタック支持板６の上昇により一定レベルに維持される。スタック１の頂のシート８は、後部がグリップされ、次に吸引ユニット２により前方に押されて、シート８の前部９が前のシート１０の下に滑り込む。
【０００４】
層３のシートは、位置決め装置（図示せず）により、長手方向および横方向に明らかに正確に位置決めされる。下記の特許文献３から特許文献５には、層３を形成するシートの位置決め装置の例が開示されている。これらの特許文献に示されているように、この位置決め作動は、フィードテーブルの１つの端部で行われ、かつ前方ストップおよび側方ストップ（プレス切断ステーションに導入されるべきシートの縁部がこれらのストップに当接される）により達成されるか、シートを停止させる必要がない、より精巧なシステムを用いて達成される。
【０００５】
これまでに知られているフィードテーブルは、一般に傾斜プラテン１２を有し、傾斜プラテン１２は、例えば、少なくとも１つの駆動ベルト１１の上方セクションの支持体として機能する金属板または木製ボードである。幾つかのベルト１１が存在する場合、ベルト１１は傾斜面１２の幅方向に並べて配置され、従って、傾斜面１２は各ベルト１１の上方セクションを支持する。
【０００６】
フィードテーブル１２上への層３のシートの搬送を行うため、しばしば、少なくとも１つの上方の補助押圧要素１３が使用される。上方の補助押圧要素（単一または複数）１３は、駆動ベルトすなわち各駆動ベルト１１の上方セクションの上方で、位置に関して調節できるようにフレーム上に取付けられる。これらの補助押圧要素１３は、最も一般的にはスライディングブロック、ローラまたは小さいベルトコンベアの形態に設計され、搬送すべきシートの層３上に作用する補助押圧要素１３の圧力はときどき調節される。下記特許文献６には、上方の補助押圧要素１３の一例が開示されている。ストップに対する接触による位置決めが使用される場合には、回転ブラシがしばしば使用される。このブラシは、その剛毛が、層の第一シートの前縁部がストップに接触した時点を感知するように位置決めされ、従って、搬送部材による過度に乱雑な推進作用の結果としてシートの縁部に生じる損傷を防止できる。
【０００７】
既知の装置では、補助押圧要素１３は、層３が駆動ベルトすなわち各駆動ベルト１１の上方セクションに対して平坦化されるように、層３に対して押し付ける機能のみを有している。
【０００８】
摩擦は、層３の駆動力についての決定的パラメータである。また、シートの駆動ベルトすなわち各駆動ベルト１１の上方セクションは、傾斜平面１２の表面を越えて僅かに突出し、これにより、軽量紙の正確な搬送が確保される。
【０００９】
シートが軽量紙または軽量厚紙のようなフレキシブル材料で形成されていないことに加え、非常に滑り易い表面を有している場合には、層３とベルト１１の上方セクションとの間の接触はもはや充分なものではなく、２つの駆動ベルト１１を有する装置では、図５に示すように層３の正確かつ均一な搬送を確保できない。このようなことは、特に、一体に貼り合せた段ボールのシートにおいて生じる。従って、上方の補助押圧要素１３の押圧力Ｆｖを大きく増大させる必要があり、このため、或る場合には段ボールが局部的に損壊されるが、これは今日では許容できないことである。
【先行技術文献】
【特許文献】
【００１０】
【特許文献１】欧州特許ＥＰ１１７０２２８号明細書
【特許文献２】欧州特許ＥＰ０６８０９０６号明細書
【特許文献３】欧州特許ＥＰ０６６９２７４号明細書
【特許文献４】欧州特許ＥＰ１０４４９０８号明細書
【特許文献５】欧州特許ＥＰ１１５１８３３号明細書
【特許文献６】欧州特許ＥＰ０６８４２０１号明細書
【発明の概要】
【発明が解決しようとする課題】
【００１１】
本発明の目的は、上記欠点を解消し、シートがどのような材料で作られていても、シートの搬送が正確にかつシートを損傷することなく行われるようにすることにある。
【課題を解決するための手段】
【００１２】
上記目的のため、本発明は、特許請求の範囲の請求項１に記載のシート状物品の加工機械の補助駆動装置に関し、更に、請求項７に記載のシート状物品の切断プレスに関する。請求項２から請求項６には、本発明の好ましい実施形態が定められている。
【図面の簡単な説明】
【００１３】
【図１】既存の切断プレスを示す概略図である。
【図２】既存の切断プレスの種々のステーションを示す概略図である。
【図３】シートを層状に配置しかつ層を供給する既存の装置の概略図である。
【図４】シートを層状に配置しかつ層を供給する既存の装置の概略図である。
【図５】高重量のシート状物品が或る場合に呈する既存の装置の問題を概略的に示す図面である。
【図６】本発明による装置を示す概略図である。
【図７】本発明による装置を示す概略図である。
【図８】本発明による装置を示す概略図である。
【図９】本発明による装置の駆動機構の一実施形態を示す図面である。
【発明を実施するための形態】
【００１４】
本発明は、非制限的な例として添付図面に示す好ましい実施形態を参照することにより、一層良く理解できるであろう。
【００１５】
用語上の観点から以下の説明での混乱を回避するため、用語「上流側」および「下流側」とは、層状のシートの変位方向に関して定義される。この層は、機械の主軸線に沿って上流側から下流側に移動する。また、用語「長手方向」および「横方向」は、機械の主軸線に関連して定義され、表現「シート状物品」は、表現「紙または厚紙のシート」と均等であると考える。これは、本発明に直接関係せずかつ当業者に良く知られた構造的詳細に言及することにより説明の複雑化を回避するためである。
【００１６】
従って、本発明は、図１に示しかつ前述した切断プレスのように、シート状物品の層３を搬送する少なくとも１つの下方駆動ベルト１１が設けられたフィードテーブルを有する形式のシート状物品の加工機械に関する。これらの機械は、シートを停止させる必要がない精巧な位置決め装置が設けられている場合には、８、０００枚／時間から１２，０００枚／時間のシートを処理できる産出速度を達成できる。
【００１７】
図６には、本発明による補助駆動装置が示されている。本発明によれば、この装置は、加工機のフィードテーブルの頂部上に配置されるフレームを有している。本発明によれば、このフレームは、少なくとも１つの上方駆動ベルト１５を支持する。図６に示す本発明の実施形態の例において必要ならば、フレームは２つの上方駆動ベルト１５を支持する。上方駆動ベルト１５は、下方駆動ベルト（単一または複数）１１と同期して、シャフト１６により駆動される。
【００１８】
図６に示す本発明の実施形態の例では、装置は、２つのガイドバー２６上でスライドできる２つの可動キャリジを有している。有利なことは、図６に示すように、一方のキャリジは可動フォーマッティングキャリジ１７であり、該フォーマッティングキャリジ１７は、上方ベルトすなわち各上方ベルト１５の偏倚を可能にして、上方ベルト１５が層３の頂の上に載らず、最も下流側のシート１４が位置決め装置によりおよび次に搬送部材５のグリッパバー４により取出される位置まで層３を駆動するに過ぎない。従って、可動フォーマッティングキャリジ１７は、層３を形成するシートのフォーマットがどのようであっても、層３の最適搬送を可能にする。図６に示す実施形態の例では、可動フォーマッティングキャリジ１７は、最も下流側に位置するキャリジである。
【００１９】
図７に概略的に示すように、この可動キャリジ１７は、無端ベルト１５の形成を可能にする少なくとも１つのトランスミッションプーリ２１と、ベルト１５の張力を確保する弾性部材２２により押圧される少なくとも１つのローラ２９とを有している。
【００２０】
任意であるが、本発明による補助駆動装置は、フレームの一端近くに配置されたシャフト２５の回りでフレームをピボットさせることにより持上げることができる。図６では、シャフト２５はフレームの下流側端部の近くに配置されているが、このシャフトをフレームの上流側端部の近くに配置しても、本発明の完全実施は可能である。補助駆動装置が持上げられると、加工機のオペレータは、層３から適正に分離されなかったシートまたは間隔が均一でないシートを容易に除去できる。
【００２１】
本発明の装置には１つ以上の押圧プーリ２０を設けるのが好ましい。これらの押圧プーリ２０は、駆動ベルト１５に圧力を加えかつベルト１５の表面に垂直な方向に移動でき、これにより、層３の厚さに適合できかつベルト１５の押圧力および駆動力を受ける層３の表面積をできる限り増大させることができる。
【００２２】
可動キャリジ上に配置されたチーク３０（図８）は、全てのトランスミッションプーリおよび押圧プーリ（２０、２１、３１、３２）を支持している。従って、これらの１組のプーリ、チーク３０および駆動ベルト１５の組合せはボギー（台車）を形成する。
【００２３】
本発明の装置は、好ましくは、上方駆動ベルト１５により層３に加えられる押圧力を調節する手段２３を有している。押圧力を調節するこれらの手段２３は、装置の重量を軽減するか、装置の固有重量以外に、層３に加えられる押圧力をも軽減する。図８に示す実施形態の例では、押圧力調節手段２３は、押圧力を調節できる空気圧ジャッキを有している。従って、本発明の実施形態の例ではボギーは移動できる。ボギーの作動位置は２つのアーム２８により定められる。これらのアーム２８は、これらの一端が可動キャリジ１７の延長部２７にヒンジ連結されかつ他端が１つのシャフトにヒンジ連結されており、ボギー組立体は、前記シャフトの回りでピボットして、最も可能性のある態様で層３の表面を押圧できる。
【００２４】
上方駆動ベルト（単一または複数）１５の駆動機構は種々の形態、より詳しくは、下方駆動ベルト（単一または複数）１１の駆動シャフト１９を上方駆動ベルト（単一または複数）１５の駆動シャフト１６に連結する機構を含む形態にすることができる。図９には、２つの摩擦ホイール２４により行われるこのような機械的連結の実施形態の一例が示されている。
【００２５】
本発明による装置の上方駆動ベルト（単一または複数）１５は、層３の頂に駆動力を加え、これにより、シート状物品の材料の如何にかかわらずかつ過度の押圧力を加えることなく、層３の正確な搬送が確保される。従って、少数の上方駆動ベルト１５を使用できかつ加工機のフィードテーブルの下方駆動ベルト１１の数を減少させることもできる。
【００２６】
また、本発明による装置は、他の技術的問題を認識しかつ解決することができる。既存の機械のフィードテーブルでシート状物品の層を搬送するシステムでは、シート状物品の搬送中にシート状物品の速度が僅かに増大すること、並びに、層の厚さによっては物品の速度および重ねられる物品の数に変化が生じることが見出された。これは、シート状物品をフィードテーブル上に導入するプーリがサイドリムの効果を有するという事実による。従って、シート状物品は、これらの物品の下で滑るシート状物品により僅かに加速され、かつ層３の端部では下方の駆動ベルト１１の速度より僅かに速い速度で前進される。また、層３とベルト１１との間の速度差は、層の厚さ内にスタックされたシート状物品の数に基いて定まり、従って、層内の第一物品と経済的速度との間で変えられる。
【００２７】
本発明による装置は、上方ベルト１５の駆動と下方ベルト１１の駆動とを同期させることにより、既存のシステムより非常に正確な搬送を確保できる。これにより、位置決め装置によるシート状物品の管理ができ、層３内の各シート状物品の位置および位置決め装置がシート状物品を取出す瞬間のより良い判断が可能になる。
【００２８】
この問題は、本発明が解決すべきこととして前に提案した主問題を構成するものではないが、この問題を解決することは、既存の装置と比較して本発明による装置の明らかな付加的長所を構成するものである。
【符号の説明】
【００２９】
１１  下方駆動ベルト
１５  上方駆動ベルト
１６  下方駆動ベルトの駆動シャフト
１７  可動キャリジ（可動フォーマッティングキャリジ）
１９  上方駆動ベルトの駆動シャフト
２０  押圧プーリ
２３  押圧力調節手段
２４  摩擦ホイール
２６  ガイドバー
３０  チーク
【図１】
2009543701.tif 000003
【図２】
2009543701.tif 000004
【図３】
2009543701.tif 000005
【図４】
2009543701.tif 000006
【図５】
2009543701.tif 000007
【図６】
2009543701.tif 000008
【図７】
2009543701.tif 000009
【図８】
2009543701.tif 000010
【図９】
2009543701.tif 000011
【国際調査報告】
2009543701.tif 000012
2009543701.tif 000013
2009543701.tif 000014
2009543701.tif 000015
2009543701.tif 000016
2009543701.tif 000017